(57)【要約】【課題】拡大対象領域を指定する複数点のタッチ操作により波形の拡大表示を行なう波形表示装置において、画面端の領域を対象とした波形拡大操作の操作性を向上させる。【解決手段】タッチパネルを備え、拡大対象領域を指定する複数点のタッチ操作により波形の拡大表示を行なう波形表示装置であって、波形表示領域を一方の軸方向に複数のブロックに分割して、少なくとも一方の端部のブロックに拡大ボタンを表示し、拡大ボタンがタッチ操作されると、対応するブロックの波形を拡大表示する表示画面生成部を備える。【選択図】図１
2019078633.tif 000002
【特許請求の範囲】
【請求項１】
タッチパネルを備え、拡大対象領域を指定する複数点のタッチ操作により波形の拡大表示を行なう波形表示装置であって、
波形表示領域を一方の軸方向に複数のブロックに分割して、少なくとも一方の端部のブロックに拡大ボタンを表示し、
前記拡大ボタンがタッチ操作されると、対応するブロックの波形を拡大表示する表示画面生成部を備えたことを特徴とする波形表示装置。
【請求項２】
タッチパネルを備え、拡大対象領域を指定する複数点のタッチ操作により波形の拡大表示を行なう波形表示装置であって、
波形表示領域を一方の軸方向に複数のブロックに分割して、少なくとも一方の端部のブロックでタッチ操作を受け付けると、そのブロックに拡大ボタンを表示し、
前記拡大ボタンがタッチ操作されると、対応するブロックの波形を拡大表示する表示画面生成部を備えたことを特徴とする波形表示装置。
【請求項３】
前記表示画面生成部は、
前記拡大ボタンを表示した後、所定時間タッチ操作されない場合に、前記拡大ボタンを消去することを特徴とする請求項２に記載の波形表示装置。
【発明の詳細な説明】
【技術分野】
【０００１】
本発明は、タッチパネルを備えた波形表示装置に関する。
【背景技術】
【０００２】
ＯＴＤＲ（光パルス試験器）、ペーパレスレコーダ、オシロスコープ等の電子機器は、測定データ等に基づいた波形を画面に表示する波形表示装置としての機能を兼ね備えている。波形表示装置を用いることで、ユーザは測定データ等の時間的変化や位置的変化等を視覚的に把握することができる。
【０００３】
一般に、波形表示装置では、波形の表示範囲を変更するために、波形移動（シフト）機能を備え、波形の細部や概形を確認するために波形拡大・縮小機能を備えている。
【０００４】
近年、ＰＣ、スマートフォン、タブレット型コンピュータ、ゲーム機等の電子機器では、ユーザからの操作を受け付ける入力装置としてタッチパネルが広く用いられており、波形表示装置にもタッチパネルが採用されるようになっている。タッチパネルは、画面表示を行なう表示装置と、タッチ操作を検出するタッチセンサとを組み合わせた装置であり、簡易で直感的な操作が行なえるようになっている。
【０００５】
タッチパネルを利用した操作として、スワイプ操作、ピンチイン操作、ピンチアウト操作が代表的である。スワイプ操作は、画面にタッチした１本の指を滑らすように動かし、表示対象を移動させる操作である。また、ピンチイン操作は、画面にタッチした２本の指を閉じるように動かし、表示対象を縮小させる操作であり、ピンチアウト操作は、画面にタッチした２本の指を拡げるように動かし、表示対象を拡大させる操作である。
【０００６】
タッチパネルを採用した波形表示装置では、水平方向のピンチアウト操作を行なうことで、横軸方向に波形を拡大することができる。例えば、図７に示すように、２本の指で点Ｃをタッチし、２点を左右に開く操作を行なうことで、点Ｃを中心に波形が横軸方向に拡大表示される。
【先行技術文献】
【特許文献】
【０００７】
【特許文献１】特開２０１６−８５１３９号公報
【発明の概要】
【発明が解決しようとする課題】
【０００８】
波形表示装置では横軸の原点付近の波形を拡大観察することがよく行なわれる。例えば、ＯＴＤＲでは、機器の接続状態の確認等のために距離を示す横軸の原点である０ｋｍ付近の波形を拡大することが重要であり頻繁に行なわれる。
【０００９】
ところが、原点付近は画面端部に位置するため、原点付近にタッチした２本の指を拡げようとしても、一方の指が表示画面の縁にかかってしまい、思い通りの拡大操作が妨げられる。これを避けようとすると、拡大の中心位置がずれてしまい、希望する領域の拡大波形が得られなくなってしまう。このように、画面端の領域を対象とした波形拡大操作を行なう場合に、タッチパネルの直感的な操作性が損なわれていた。
【００１０】
この問題は、波形拡大を行なう場合に、ピンチアウト操作で拡大対象領域を指定する方式のみならず、横軸方向の範囲を定める２点のタッチや２点間のスワイプ操作で拡大対象領域を指定する方式でも同様である。
【００１１】
そこで、本発明は、拡大対象領域を指定する複数点のタッチ操作により波形の拡大表示を行なう波形表示装置において、画面端の領域を対象とした波形拡大操作の操作性を向上させることを目的とする。
【課題を解決するための手段】
【００１２】
上記課題を解決するため、本発明の第１の態様である波形表示装置は、タッチパネルを備え、拡大対象領域を指定する複数点のタッチ操作により波形の拡大表示を行なう波形表示装置であって、波形表示領域を一方の軸方向に複数のブロックに分割して、少なくとも一方の端部のブロックに拡大ボタンを表示し、前記拡大ボタンがタッチ操作されると、対応するブロックの波形を拡大表示する表示画面生成部を備えたことを特徴とする。
上記課題を解決するため、本発明の第２の態様である波形表示装置は、タッチパネルを備え、拡大対象領域を指定する複数点のタッチ操作により波形の拡大表示を行なう波形表示装置であって、波形表示領域を一方の軸方向に複数のブロックに分割して、少なくとも一方の端部のブロックでタッチ操作を受け付けると、そのブロックに拡大ボタンを表示し、前記拡大ボタンがタッチ操作されると、対応するブロックの波形を拡大表示する表示画面生成部を備えたことを特徴とする。
ここで、前記表示画面生成部は、前記拡大ボタンを表示した後、所定時間タッチ操作されない場合に、前記拡大ボタンを消去するようにしてもよい。
【発明の効果】
【００１３】
本発明によれば、拡大対象領域を指定する複数点のタッチ操作により波形の拡大表示を行なう波形表示装置において、画面端の領域を対象とした波形拡大操作の操作性が向上する。
【図面の簡単な説明】
【００１４】
【図１】本実施形態に係る波形表示装置の要部構成を示すブロック図である。
【図２】表示装置の表示画面例と操作受付部を示す図である。
【図３】波形表示装置の特徴的な動作について説明するフローチャートである。
【図４】波形の拡大表示例を示す図である。
【図５】波形表示装置の特徴的な動作の別例について説明するフローチャートである。
【図６】波形の拡大表示の別例を示す図である。
【図７】従来の波形拡大操作を説明する図である。
【発明を実施するための形態】
【００１５】
本発明の実施の形態について図面を参照して説明する。図１は、本実施形態に係る波形表示装置１０の要部構成を示すブロック図である。波形表示装置１０は、測定データ等に基づいた波形を画面に表示する装置であり、ＯＴＤＲ（光パルス試験器）、ペーパレスレコーダ、オシロスコープ等の電子機器に適用することができる。本実施形態では、ＯＴＤＲ（光パルス試験器）を例に説明する。
【００１６】
本図に示すように、波形表示装置１０は、タッチパネル１００、データ格納部１３０、表示画面生成部１４０、操作受付部１５０を備えている。本ブロック図は波形表示機能に着目したものであり、測定部、データ収集部、通信部等は省略している。
【００１７】
タッチパネル１００は、画面表示を行なう表示装置１２０と、タッチ操作を受け付けるタッチセンサ１１０とを組み合わせた装置である。データ格納部１３０は、波形表示装置１０が測定あるいは収集したデータを格納する記憶領域である。データは時系列で格納される。波形表示装置１０の種類によっては複数チャンネルのデータを格納することができる。
【００１８】
表示画面生成部１４０は、表示装置１２０に表示する画面の生成を行なうブロックであり、タッチ操作検出部１４１と波形描画部１４２とを備えている。
【００１９】
タッチ操作検出部１４１は、タッチセンサ１１０が受け付けたタッチ操作の内容を検出する。具体的には、１点タッチ操作と、２点タッチ操作とを識別し、各タッチの座標を微小時間間隔で連続的に検出する。これにより、１点タッチ操作の場合の移動方向や移動距離を検出し、２点タッチ操作の場合のそれぞれの点の移動方向や２点間距離の変化を検出することができる。
【００２０】
波形描画部１４２は、データ格納部１３０からデータを読み出して、表示装置１２０に波形表示を行なう。この際に、タッチ操作検出部１４１が１点タッチ操作、２点タッチ操作を検出すると、検出内容に応じて表示波形を移動させたり、表示波形を拡大縮小させたりする。
【００２１】
操作受付部１５０は、電源ボタン、操作キー等を備え、ユーザからの操作を受け付ける。
【００２２】
図２は、表示装置１２０の表示画面例と操作受付部１５０を示している。本図に示すように、表示装置１２０には、測定データに基づく波形や測定に関する情報、操作メニュー等が表示される。また、操作受付部１５０には、ユーザからの操作を受け付けるための複数個の操作キーが備えられている。操作キーには、操作メニューを選択するためのファンクションキー、スケールキー、上下左右の十字キーを備えたカーソルキー等が含まれている。
【００２３】
次に、本実施形態の波形表示装置１０の特徴的な動作について、図３のフローチャートを参照して説明する。なお、波形表示装置１０は、タッチパネル１００を利用した従来の拡大操作、すなわち、ピンチアウト操作や２点タッチあるいは２点間のドラッグ操作等で拡大対象領域を指定する複数点のタッチ操作により波形の拡大表示を行なうことを前提としている。以下に説明する波形拡大動作は、画面端の領域、特に原点付近の領域を対象とした波形拡大操作の操作性が向上させるために、従来の拡大操作を補充するものである。
【００２４】
波形表示装置１０の表示画面生成部１４０は、波形描画部１４２が表示装置１２０に波形を表示する際に、波形表示領域を横軸方向に複数のブロックに分割し、ブロックに対応して拡大ボタンを表示する（Ｓ１０１）。なお、波形の表示態様等によっては縦軸方向に複数のブロックに分割してもよい。
【００２５】
ここで、複数のブロックの分割は、例えば、Ｄｉｖ目盛りを区切として利用することができる。図４（ａ）は、波形表示領域を２Ｄｉｖ単位で５つのブロックに分割し、ブロックごとに拡大ボタン３１０（３１０ａ〜３１０ｅ）を表示している。
【００２６】
本図の例では、分割した各ブロックに拡大ボタン３１０を表示しているが、画面端の領域、特に原点付近の領域を対象とした波形拡大操作の操作性が向上させるためには、少なくとも一方の端部のブロックに拡大ボタン３１０を表示すればよい。
【００２７】
拡大ボタン含んだ波形表示画面の表示中に、タッチ操作検出部１４１が１点タッチ操作を検出すると（Ｓ１０２：Ｙｅｓ）、タッチ対象が拡大ボタン３１０であれば（Ｓ１０３：Ｙｅｓ）、拡大ボタンに対応するブロックの波形を拡大表示する（Ｓ１０４）。
【００２８】
例えば、図４（ｂ）に示すように、原点付近のブロックの拡大ボタン３１０ａがタッチされると、図４（ｃ）に示すようにそのブロックの波形が１０Ｄｉｖ分の全領域に拡大表示される。これにより、従来、拡大操作をしにくかった原点付近の波形を容易に拡大して確認することができる。拡大表示された波形表示領域にも拡大ボタンを表示することができる。
【００２９】
一方、タッチ対象が拡大ボタン３１０でなければ、拡大表示は行なわず、通常の動作と同様に、タッチされた位置にカーソルを移動させる（Ｓ１０５）。
【００３０】
ところで、波形表示領域に拡大ボタン３１０を表示すると、その分、波形が表示される領域が狭くなる。これを避けるために、図５のフローチャートで示すような動作としてもよい。
【００３１】
まず、波形描画部１４２が、図６（ａ）に示すように、波形ボタンを含まない従来と同様の波形を表示する（Ｓ２０１）
【００３２】
波形の表示中に、タッチ操作検出部１４１が１点タッチ操作を検出すると（Ｓ２０２：Ｙｅｓ）、表示画面生成部１４０は、タッチ位置にカーソルを表示するとともに、タッチ位置を含むブロックに対応して拡大ボタンを表示する（Ｓ２０３）。
【００３３】
例えば、図６（ａ）に示す波形表示画面において点３２０が１点タッチされると、図６（ｂ）に示すように、点３２０に対応してカーソル３３０を表示するとともに、点３２０を含むブロックに拡大ボタン３４０を表示する。なお、拡大ボタン３４０は、少なくとも一方の端部のブロック領域が１点タッチされたときに表示するようにすればよい。
【００３４】
拡大ボタン含んだ波形表示画面の表示中に、タッチ操作検出部１４１が１点タッチ操作を検出すると（Ｓ２０４：Ｙｅｓ）、タッチ対象が拡大ボタン３４０であれば（Ｓ２０５：Ｙｅｓ）、拡大ボタンに対応するブロックの波形を拡大表示する（Ｓ２０６）。拡大表示された波形表示領域が再度タッチされた場合にさらに拡大ボタンを表示するようにしてもよい。
【００３５】
タッチ対象が拡大ボタン３４０でなければ、拡大表示は行なわず、通常の動作と同様に、タッチされた位置にカーソルを移動させる（Ｓ２０７）。
【００３６】
拡大ボタン３４０を表示した後、拡大ボタン３４０がタッチ操作されずに所定時間経過すると（Ｓ２０８：Ｙｅｓ）、表示していた拡大ボタン３４０を消去する（Ｓ２０９）。これにより、拡大ボタン３４０により波形の表示が妨げられるのを防ぐことができる。所定時間は、例えば、３秒程度とすることができる。
【００３７】
以上説明したように、本実施形態の波形表示装置１０によれば、波形表示領域端部の拡大操作を拡大ボタンにより行なうことができるため、拡大対象領域を指定する複数点のタッチ操作により波形の拡大表示を行なう波形表示装置において、画面端の領域を対象とした波形拡大操作の操作性が向上する。
【符号の説明】
【００３８】
１０…波形表示装置
１００…タッチパネル
１１０…タッチセンサ
１２０…表示装置
１３０…データ格納部
１４０…表示画面生成部
１４１…タッチ操作検出部
１４２…波形描画部
１５０…操作受付部
【図１】
2019078633.tif 000003
【図２】
2019078633.tif 000004
【図３】
2019078633.tif 000005
【図４】
2019078633.tif 000006
【図５】
2019078633.tif 000007
【図６】
2019078633.tif 000008
【図７】
2019078633.tif 000009